(57)【要約】【課題】プレスキャンからプレジャッジ作業、本スキャン、プリント作成に到るフィルム画像処理における無駄時間を省いた、高い処理効率を有する写真フィルム画像処理装置を提供する。【解決手段】写真フィルムに含まれているコマのコマ画像データを取得するプレスキャンモードと、前記コマの画像データをプレスキャンモードより高い解像度で取得する本スキャンモードとを備えた読取制御部と、コマ画像に対する属性データの入力処理を行うプレジャッジ工程を制御するプレジャッジ制御部とが備えられ、読取制御部はプレジャッジ制御部によるプレジャッジ工程と並行して本スキャンモードによる写真フィルムのコマ画像の読み取りを行う。【選択図】　図８
2004015295.tif 000002
【特許請求の範囲】
【請求項１】
写真フィルムに記録された各コマの画像を処理する写真フィルム画像処理装置であって、
写真フィルム横断方向に沿った主走査方向でスキャンするラインセンサと、
前記写真フィルムと前記ラインセンサとを写真フィルム長手方向に沿った副走査方向で相対移動させる副走査移動機構と、
前記副走査移動機構による第１相対移動によって前記写真フィルムに含まれているコマのコマ画像データを取得するプレスキャンモードと、前記副走査移動機構による第２相対移動によって前記写真フィルムに含まれているコマの画像データをプレスキャンモードより高い解像度で取得する本スキャンモードとを備えた読取制御部と、
前記プレスキャンモードによって取得された画像データに基づくコマ画像をモニタ表示するとともに表示されたコマ画像に対する属性データの入力処理を行うプレジャッジ工程を制御するプレジャッジ制御部と、
前記属性データ入力を完了したコマ画像に対応する本スキャン画像データを画像処理してプリントデータに変換する画像データ処理部と、
が備えられたものにおいて、
前記読取制御部は前記プレジャッジ制御部によるプレジャッジ工程と並行して本スキャンモードによる前記写真フィルムのコマ画像の読み取りを行うことを特徴とする写真フィルム画像処理装置。
【請求項２】
前記ラインセンサに対して選択可能な倍率でフィルム画像を結像させることができる光学レンズユニットが備えられており、本スキャンモードにおいて前記光学レンズユニットは前記属性データの１つとして入力可能な複数のプリントサイズに共通して用いられる倍率に設定されることを特徴とする請求項１に記載の写真フィルム画像処理装置。
【請求項３】
前記本スキャンモードによって取得されたコマ画像データをプリントデータに変換するまでの間だけ一時的に格納する本スキャン格納メモリが備えられており、前記本スキャンモードによるコマ画像データの取得は前記本スキャン格納メモリが満杯になるまで連続して行われることを特徴とする請求項１又は２に記載の写真フィルム画像処理装置。
【請求項４】
前記副走査移動機構は前記写真フィルムを１本の搬送ラインに沿って搬送するように構成され、前記第１相対移動は前記搬送ライン上の写真フィルムの往路搬送によって行われ、前記第２相対移動は前記搬送ライン上の写真フィルムの復路搬送によって行われることを特徴とする請求項１〜３のいずれかに記載の写真フィルム画像処理装置。
【発明の詳細な説明】
【０００１】
【発明の属する技術分野】
本発明は、現像済みの写真フィルムのコマ画像を読み取るためのラインセンサと前記写真フィルムとを相対移動させることによりプレスキャンと本スキャンを行ない、その際プレスキャンではプレジャッジ画像のモニタ表示目的ために前記コマ画像の低解像度での読み取りを行ない、前記本スキャンではプリント目的のために前記コマ画像の高解像度での読み取りを行ない、最終的に本スキャンで得られた画像データに必要な画像処理を施してプリントデータを出力する写真フィルム画像処理装置に関する。
【０００２】
【従来の技術】
一般的な写真フィルム画像処理装置の機能は、現像済みのネガフィルムのコマ画像を読み取り、これをデジタルデータ化して所定の画像処理を施した後デジタル露光装置により印画紙等の写真感光材料に露光することである。その際、コマ画像の情報をデジタルデータ化するために、ラインセンサが用いられており、ネガフィルムとラインセンサとを相対移動させることにより画像データを取り込むことができる。この場合、ラインセンサによるコマ画像の読み取り（スキャニング）は低解像度プレスキャンと高解像度の本スキャンの２回行われる。
【０００３】
プレスキャンにおいて読み取られたコマ画像はモニターに表示され、オペレータはその表示されたコマ画像をみて、適切なプリント仕上がりになるように、必要に応じて色・濃度の補正情報を入力する。このような工程はプレジャッジ作業工程と呼ばれる。本スキャンはプリントデータとして用いられる高解像度の画像データを取得するためのものであり、この本スキャンで取得された高解像度画像データはプレジャッジ工程で入力された補正情報に基づいて画像処理され、プリントデータとして出力される。
【０００４】
【発明が解決しようとする課題】
このような写真フィルム画像処理装置は、例えば特開２００１−４２４６０号公報に開示されており、そこでは、プレジャッジ作業工程において全てのコマ画像に対する補正情報の入力が終了した段階で、デジタル露光装置の露光データとして用いられる高解像度の画像データを取得するため本スキャンが行われる。プレスキャンではネガフィルム１本の長さ全体の画像が一度に読み取られるのに対して、本スキャンでは１コマ単位でコマ画像が読み取られるが、その際本スキャンでは高解像度でコマ画像を読み取るため、副走査方向の走査速度がかなり遅く、プレジャッジ作業が完了してから、プリントが開始され始めるまで時間がかかり、この時間が全体的な処理速度の短縮化の阻害要因となっている。
【０００５】
このような問題を改善するため、例えば特開平１１−２１５３０５号公報では、全てのコマ画像に対するプレジャッジ作業が終了する前に、つまり所定の数のコマ画像のプレジャッジ作業が終了したら、本スキャンを開始するように構成されている。しかしながら、この改善策においても、もし所定数のコマ画像のプレジャッジに時間がかかった場合、やはりその分だけ本スキャンの開始が遅くなり、全体的な処理速度の低下の要因となる。
【０００６】
アトラクション会場などのプリントサービスなどでは、一刻も早いプリント処理が要求されるので、わずかな処理速度の低下要因でも無視することはできない。このような実状に鑑み、本発明の課題は、プレスキャンからプレジャッジ作業、本スキャン、プリント作成に到るフィルム画像処理における無駄時間を省いた、高い処理効率を有する写真フィルム画像処理装置を提供することである。
【０００７】
【課題を解決するための手段】
上記課題を解決するため、本発明による写真フィルムに記録された各コマの画像を処理する写真フィルム画像処理装置では、写真フィルム横断方向に沿った主走査方向でスキャンするラインセンサと、前記写真フィルムと前記ラインセンサとを写真フィルム長手方向に沿った副走査方向で相対移動させる副走査移動機構と、前記副走査移動機構による第１相対移動によって前記写真フィルムに含まれているコマのコマ画像データを取得するプレスキャンモードと、前記副走査移動機構による第２相対移動によって前記写真フィルムに含まれているコマの画像データをプレスキャンモードより高い解像度で取得する本スキャンモードとを備えた読取制御部と、前記プレスキャンモードによって取得された画像データに基づくコマ画像をモニタ表示するとともに表示されたコマ画像に対する属性データの入力処理を行うプレジャッジ工程を制御するプレジャッジ制御部と、前記属性データ入力を完了したコマ画像に対応する本スキャン画像データを画像処理してプリントデータに変換する画像データ処理部とが備えられており、前記読取制御部は前記プレジャッジ制御部によるプレジャッジ工程と並行して本スキャンモードによる前記写真フィルムのコマ画像の読み取りを行う。
【０００８】
この構成では、プレスキャンの終了後プレジャッジ工程とともに本スキャンも行われる。つまり、場合によっては、プレジャッジ工程におけるプリント対象コマ画像に対する補正コマンドの付与やプリント枚数入力などの属性データ入力に先だってプリント対象コマ画像の本スキャンを行うことで、時間のかかる本スキャンがトータル処理時間を増大させる事態をできるだけ回避している。つまり、この発明では、プレジャッジ作業を終えてからプレジャッジ済みのコマ画像の本スキャンを行うという従来の常識をうち破って、プレジャッジ作業が完了していなくとも、ともかくプレスキャンが終了すれば、続いて本スキャンを行うという構成が採用されている。
【０００９】
写真フィルムのコマ画像をスキャナで読み取り、得られた画像データを利用してデジタルプリントを行う場合、従来からプリントサイズに応じてスキャナにおける読み取り倍率を変更する方法が採用されている。つまり、プリントサイズが小さい場合プリントのために必要とされる解像度は小さくてもよいので、リニアセンサの一部分にコマ画像を結像させ、副走査速度を相応に速くし、逆にプリントサイズが大きい場合プリントのために必要とされる解像度は大きいので、リニアセンサの大部分にコマ画像を結像させ、副走査速度を相応に遅くする。リニアセンサ上でのコマ画像の結像サイズの調整はタレット式で切り換えられる複数の光学レンズユニット、あるいはズーム式レンズユニットによって行われる。１本の写真フィルム（言い換えれば１オーダ）に含まれる複数のコマ画像が同じプリントサイズでプリントされるとは限らないため、従来ではプリントサイズが入力されてから、本スキャンを行っていた。
【００１０】
これに対して、本発明では、プレジャッジ工程と並行して本スキャンを行うため、プリントサイズに応じた読み取り倍率の調整は行われない。その代わりに、本発明の好適な実施形態では、ラインセンサに対して選択可能な倍率でフィルム画像を結像させることができる光学レンズユニットが備えられるとともに、本スキャンモードにおいて前記光学レンズユニットはプレジャッジ作業時に属性データの１つとして入力可能な複数のプリントサイズに共通して用いられる倍率に設定される。つまり、写真フィルムからのプリント注文を受けた際に、その注文において（つまり１オーダにおいて）含まれているプリントサイズの種類、例えばＬサイズと２Ｌサイズ、はわかっているので、これらの種類のプリントサイズをカバーできる倍率に光学レンズユニット、通常はズームレンズユニットを設定しておく。２Ｌサイズのための解像度はＬサイズのための解像度より当然大きいので、Ｌサイズのプリントの際には解像度を適当なレベルに下げる変換を行えばよい。
プレジャッジ工程とは独立して本スキャンが実施されるとしても、本スキャンによって取得される画像データの容量が数メガから数十メガバイト（場合によっては百メガを超える）にも達することから、フィルム１本分の全コマ画像の画像データを格納するメモリを備えることはコストを考慮すると避けるべきである。このため、本発明の好適な実施形態では、本スキャンによって取得されたコマ画像データをプリントデータに変換するまでの間だけ一時的に格納する本スキャン格納メモリが備えられており、本スキャンによるコマ画像データの取得は前記本スキャン格納メモリが満杯になるまで連続して行われるように構成されている。
【００１１】
プレスキャンに引き続いて本スキャンを実施できるように構成された本発明による写真フィルム画像処理装置では、プレスキャンされた写真フィルムはできるだけ速く本スキャンのための準備をしなければならない。この点を考慮するならば、プレスキャンされた写真フィルムを巻き戻して、その後本スキャンする構成では、巻き戻し時間が無駄時間となる。このため、本発明の好適な実施形態では、フィルムスキャナの副走査移動機構は写真フィルムを１本の搬送ラインに沿って搬送するとともに、プレスキャンのための第１相対移動は搬送ライン上の写真フィルムの往路搬送によって行われ、本スキャンのための第２相対移動は搬送ライン上の写真フィルムの復路搬送によって行われるように構成されている。これにより本スキャン前の巻き戻し時間が節約される。
【００１２】
本発明によるその他の特徴及び利点は、以下図面を用いた実施形態の説明により明らかになるだろう。
【００１３】
【発明の実施の形態】
図１は本発明による写真フィルム画像処理装置の一例の外観図であり、ここではこの写真フィルム画像処理装置は、銀塩印画紙Ｐ（以下、印画紙Ｐと称する）に対して露光処理と現像処理とを行う写真プリンタとしてのプリントステーション１Ｂと、写真フィルム（以後単にフィルムと称する）Ｆから読み取られたコマ画像データに基づいてプリントステーション１Ｂで使用されるプリントデータの生成・転送などを行う操作ステーション１Ａとから構成されている。この写真フィルム画像処理装置はデジタルミニラボとも称せられるものであり、図２からよく理解できるように、プリントステーション１Ｂは２つの印画紙マガジン１１に納めたロール状の印画紙Ｐをプリントステーション１Ｂの内部に搬送してプリントサイズに切断すると共に、このように切断された印画紙Ｐに対し、露光処理部１２で露光を行い、この露光後の印画紙Ｐを複数の現像処理槽を有した現像処理部１３に送って現像する。乾燥の後に装置上部の横送りコンベア１４からソータ１５に送られた印画紙、つまり写真プリントＰは、このソータ１５の複数のトレイ１５ａに対してオーダ単位で仕分けられた状態で集積される。
【００１４】
露光処理部１２は、操作ステーション１Ａから送られてくるプリントデータに基づいて印画紙Ｐを送りながらＲ（赤）、Ｇ（緑）、Ｂ（青）の３原色の光線の露光を行う露光ヘッド（図示せず）を備えており、露光時には印画紙Ｐを副走査方向に搬送しながら、この搬送速度と同期して主走査方向に沿ったライン状に露光を行うよう構成されている。尚、露光ヘッドとしては、露光仕様に応じて、蛍光ビーム方式、レーザビーム方式、液晶シャッター方式、ＤＭＤ方式又はＦＯＣＲＴ方式の採用が可能である。又、前記現像処理部１３は露光後の印画紙Ｐを複数の現像処理槽に対して連続的に送るよう多数の圧着ローラ（図示せず）を有した搬送系を備えている。
【００１５】
前記操作ステーション１Ａは、操作テーブル１６を設けたデスク状コンソールの上部位置に写真フィルムＦからコマ画像（撮影画像）データを取得するフィルムスキャナ２と、各種情報を表示するＣＲＴディスプレイ（以下単にモニタと呼ぶ）１７とを備えている。さらに操作テーブル１６上にはこの写真フィルム画像処理装置の操作入力部１８として機能するキーボード１８ａとマウス１８ｂが配置されている。また、この操作テーブル１６の下方には、フィルムスキャナ２を通じて写真フィルムＦから読み取られた画像データの処理やプリントデータの生成、プリントステーション１Ｂの制御を行うコントローラとして機能する汎用コンピュータ（以後単にパソコンと称する）４が備えられている。
【００１６】
フィルムスキャナ２は、図２と図３に模式的に示されているように、副走査移動機構３０として構成されている駆動ローラ式フィルム搬送ラインの上方に位置する光源２０と、フィルム搬送ラインの下側でこれに対して直交する方向に延びたスリット２１の下方に位置する光学レンズユニットとしてのズームレンズユニット２２とこのズームレンズユニット２２によって結像されたフィルムＦの透過光を光電変換するＣＣＤ型のリニア型センサユニット２３を備えている。センサユニット２３はコントローラ４と接続されており、センサユニット２３によって光電変換されたデジタル画像データはコントローラ４に取り込まれる。
【００１７】
現像済みのフィルムＦからそのコマ画像を読み込む際には、副走査移動機構３０のフィルム搬送ライン端部にセットされたフィルムＦを搬送しながら、この搬送と同期してセンサユニット２３でフィルム透過光を主走査方向に沿って１ラインずつＲ（赤）、Ｇ（緑）、Ｂ（青）に色分解した後光電変換して、Ｒ（赤）、Ｇ（緑）、Ｂ（青）夫々の輝度データからなるコマ画像データがコントローラ４に転送される。このフィルムスキャナ２は、プレスキャンモード時にはフィルム１本分を連続的に低解像度で読み取る。このプレスキャン画像データは、濃度差に基づいてコマ画像毎に切り出されることでプレジャッジ用画像データとなるが、その切り出し時に求められたコマ位置情報をコマ位置データとした後で行われる本スキャン時に利用される。被写体によっては撮影画面領域と非撮影画面領域との間で濃度差がほとんどなく機械的にコマ画像エッジが検出されないことがあるが、その場合はオペレータによる目視判断でコマ位置データを入力することも可能である。
【００１８】
高解像度での本スキャンモード時には、先ほど述べたコマ位置データに基づいて各コマ画像の前エッジでセンサユニット２３によるスキャニングを開始し、後エッジでスキャニングを停止することで、コマ画像単位の高解像度画像データが順次パソコン４に取り込まれていく。同じ本スキャンモードであっても、目的とするプリントサイズによって取得される画像データの解像度が異なるので、ズームレンズユニットのセンサユニット２３上でのコマ画像の結像倍率や副走査移動機構３０の搬送（走査）速度を調整する必要がある。
【００１９】
小さいプリントサイズに適した比較的低解像度のスキャン画像データ（本スキャン画像データ）を得るためには、ズームレンズユニット２２の倍率を低めに設定するとともに（図３（イ）参照）副走査移動機構３０の搬送速度を速めに設定し、大きいプリントサイズに適した比較的高解像度のスキャン画像データ（本スキャン画像データ）を得るためには、ズームレンズユニット２２の倍率を高いめに設定するとともに（図３（ロ）参照）副走査移動機構３０の搬送速度を遅めに設定する。例えば、Ｌや２Ｌ版サイズのプリントを出力する場合には、１６ＢＡＳＥ程度の解像度（２０４８ｘ３０７２；１８．９メガバイト）が必要であり、ズームレンズユニット２２の倍率は約等倍、搬送速度は約２０ｍｍ／ｓｅｃとなる。四切程度のプリントサイズで出力する場合には、６４ＢＡＳＥ程度の解像度（４０９６ｘ６１４４；７５．５メガバイト）が必要であり、ズームレンズユニット２２の倍率は約２倍、搬送速度は約５ｍｍ／ｓｅｃとなる。
【００２０】
この写真フィルム画像処理装置のコントローラ４として用いられているパソコン４は、ＣＰＵを中核部材として、転送された写真画像データに対して種々の処理を行うための機能部がハードウエア又はソフトウエアあるいはその両方で実装されているが、図４に示されているように、本発明に特に関係する機能部として、ズームレンズユニット２２や副走査移動機構３０の制御を行うことでプレスキャンモードと本スキャンモードでフィルムスキャナ２を駆動させる読取制御部としてのフィルムスキャナ制御部４０、フィルムスキャナ２から転送されてきた画像データを一時的に保管するバッファメモリ４５、処理対象フィルムＦに含まれている各コマ画像に対して必要に応じて画像処理コマンドやプリント枚数などの属性データを付与するプレジャッジ管理部４１、操作入力部１８からの操作入力信号に対応する画像処理コマンドなどの操作コマンドを割り当てる操作入力処理部４２、プレジャッジ時に補正対象撮影コマの画像をモニタ１７に表示するビデオ制御部４３と、本スキャンモードで取り込まれた高解像度画像データに対して種々の画像処理を行う画像処理部５０、画像処理部５０で処理された最終的な高解像度画像データをプリントステーション１Ｂのプリント仕様に合わせてプリントデータに変換するプリントデータ生成部４４などが挙げられる。
【００２１】
前記プレジャッジ管理部４１には、プレスキャンモードで取り込まれた低解像度画像データ（プレスキャン画像データ）から濃度差を考慮してコマ位置を示すコマ位置データを生成するとともにこのコマ位置データを用いてフィルム全体をカバーするプレスキャン画像データからコマ画像単位のプレジャッジ用画像データを作り出すプレジャッジ画像処理部４１ａ、プレジャッジ用画像データから予想されるプリント出力画像に対応するシミュレート画像データを使用されているモニタ１７や露光処理部１２などの色出力特性を格納している機器特性テーブルを参照しながら生成するシミュレート画像生成部４１ｂ、プレジャッジ時に操作入力処理部４２を通じて各コマ画像に設定された画像処理コマンドあるいは画像処理コマンド列を管理する画像処理コマンド列管理部４１ｃが備えられている。
【００２２】
画像処理部５０には、本スキャンモードで取り込まれた高解像度画像データに対して画像回転、γ補正、解像度変換などの前処理を行う第１画像処理部５１と、色調補正やフィルタリング（ぼかしやシャープネスなど）やトリミングなどの各種フォトレタッチ処理を行う第２画像処理部５２が含まれている。なお、解像度変換は、所定のプリントサイズに最適な解像度とは異なる解像度で本スキャンされたコマ画像の画像データをプリント出力に最適な解像度にするために用いられる。これは、この実施形態の写真フィルム画像処理装置では、異なるプリントサイズでのプリント出力が含まれていても１本のフィルムＦに含まれている全てのコマ画像を共通の倍率設定で、つまり同じ解像度で本スキャンを行うためである。
【００２３】
現像済みフィルムＦのコマ画像を写真プリントする際のこの写真フィルム画像処理装置における処理手順が図５と図６に、そしてその際の画像データの流れが図７に示されている。
まず、顧客から受けたプリントオーダの内容から必要な情報、例えばプリント枚数やプリントサイズなどを入力する（＃１０）。写真フィルム画像処理装置の各種制御パラメータを規定している制御チャンネルを入力されたプリントオーダ情報に基づいて設定する（＃２０）。制御チャンネルに含まれる制御パラメータとしては使用する印画紙のメーカや種別、作成すべき写真プリントのプリントサイズなどが挙げられる。処理対象となるフィルムＦをフィルムスキャナ２の副走査移動機構３０に投入してプレスキャンを行う（＃３０）。プレスキャンでは副走査移動機構３０に形成されている搬送ラインの一方方向にフィルムＦを搬送しながらそのフィルムＦに含まれている全てのコマ画像が連続的に低解像度（例えば、２５６ｘ３８４ピクセル）で読み取られる（＃４０）。プレスキャンが終わると、次にフィルムＦを逆方向に搬送しながら本スキャンを行う（＃５０）。本スキャンはコマ画像単位で間欠的に高解像度（例えば、２０４８ｘ３０７２ピクセル）で読み取られる（＃５０）。本スキャンで取得される１つのコマ画像当たりの画像データの容量はかなり大きくなるので、バッファメモリ４５の空き具合をチェックしながら行う必要がある。
【００２４】
本スキャンの処理手順を図６を用いて詳しく説明する。
まず、１オーダに、つまり１本のフィルムＦからプリントされる写真プリントＰのプリントサイズが複数含まれているかどうかがチェックされ（＃５１）、もし一種類の場合そのプリントサイズに最適な解像度となる倍率にフィルムスキャナ２のズームレンズユニット２２を設定し（＃５２ａ）、もし複数種類の場合それらのプリントサイズの全てに適合できる共通解像度となる倍率にフィルムスキャナ２のズームレンズユニット２２を設定する（＃５２ｂ）。次いで、フィルムＦをプレスキャン時とは反対の方向で搬送しながら最初のコマ画像を取り込む（＃５３）。取り込まれたコマ画像データに対して解像度変換が必要な場合第１画像処理部５１でその他の前処理とともに行われる（＃５４、＃５５）。コマ画像データが前処理されると、後で述べるプレジャッジ作業時に設定された画像処理コマンドに基づく画像処理を第２画像処理部５２に対して要求する（＃５６）。次に本スキャンすべきコマ画像がまだ存在するかどうかをチェックし（＃５７）、存在しない場合本スキャンが完了するが、存在する場合バッファメモリ４５に本スキャンコマ画像データを格納できる余裕があるかどうかチェックし（＃５８）、バッファメモリ４５に十分な空きが生じた段階で次のコマ画像に対する本スキャンを行う（＃５３へのジャンプ）。
【００２５】
図５から明らかなように、本発明にとって重要なことは、実質的に、プレジャッジ作業に用いられるプレジャッジ画像データの作成の開始と同時に、上述した本スキャン工程も開始されることである。
【００２６】
プレジャッジ画像データはプレスキャン画像データから周辺領域との濃度差と予め知られているコマ画像サイズに基づいて各コマ画像に相当するエリアを切り取ることによって得られる。プレジャッジ画像データが得られるとモニタ１７にプレジャッジ画像を表示しながら、それ自体はよく知られているプレジャッジ作業が行われ、必要に応じて、補正処理コマンドが設定される（＃６０）。プリント処理の一環としてのプレジャッジ作業で設定された補正処理コマンドに基づく画像処理は本スキャンで得られた対応する高解像度のコマ画像データに対して画像処理部５０で行われ、画像処理済みのコマ画像データはプリントデータに変換され、プリントステーション１Ｂに送られ、そこで写真プリントＰが作成される（＃７０）。
【００２７】
繰り返すが、この写真フィルム画像処理装置における処理手順にとって重要なことは、フィルムスキャナ制御部４０はプレジャッジ制御部によるプレジャッジ画像の生成やオペレータによるプレジャッジ作業を含むプレジャッジ工程と並行して本スキャンモードによるフィルムＦのコマ画像の読み取りを行うことであり、このことは、図８に示すタイムチャートからよく理解できる。このタイムチャートにおいて丸で囲まれた数字はコマ画像の番号を示しており、最初の２つのコマ画像の本スキャンがプレジャッジ工程とともに連続的に行われている。これはバッファメモリ４５が本スキャンコマ画像データを２コマ分格納する容量を有するからである。
【００２８】
次にコマ画像ないしはコマ画像データがこの写真フィルム画像処理装置の各構成要素によってどのように処理されていくかを図９を用いて説明する。
フィルムＦがフィルムスキャナ２にセットされると、フィルム１本分がその長さにわたって連続的に低解像度でスキャンされ（プレスキャン）、バッファメモリ４５に送り出される（＃１０１）。バッファメモリ４５に一次格納された低解像度画像データは画像処理部５０の第１画像処理部５１によって必要なガンマ変換や画像回転などの前処理を施され、プレジャッジ管理部４１に転送される（＃１０２）。プレジャッジ画像処理部４１ａはメインメモリに転送された低解像度画像データからコマ位置を割り出し、各撮影コマに対応する画像データを切り出しプレジャッジ用画像データとする（＃１０３）。
【００２９】
さらに、このプレジャッジ用画像データはシミュレート画像生成部４１ｂによって所定の処理を施されることによりシミュレート画像データに変換されるが、その際使用されているフィルムスキャナ２のスキャナ色特性や露光処理部１２で用いられている露光ヘッドと印画紙のタイプによって決まるプリント色特性、それにシミュレート画像の表示に用いられているモニタ１７のモニタ色特性などが機器色特性テーブルから読み出され、シミュレート画像生成過程において参照される（＃１０４）。
【００３０】
シミュレート画像データがビデオ制御部４３に送られることで（＃１０５）、モニタ１７にシュミレート画像が表示される（＃１０６）。プレジャッジ作業では、オペレータはこのシミュレート画像としての処理対象撮影コマを見ながら、必要に応じて、操作入力部１８としてのキーボード１８ａ上の所定の操作キーやマウス１８ｂを操作すると（＃１０７）、操作入力処理部４２の働きで画像処理コマンドが生成され、プレジャッジ管理部４１に送られる。プレジャッジ管理部４１は受け取った画像処理コマンドをシミュレート画像生成部４１ｂに与えることでシミュレート画像データを補正し、これによりモニタ１７に表示されるシミュレート画像がオペレータの要求通りに調整される（＃１０８）。このようにしてモニタ１７に表示されている処理対象撮影コマに対するプレジャッジ作業が完了すると、この撮影コマに対して施された画像処理コマンドは画像処理コマンド列管理部４１ｃにより一時的に保持される（＃１０９）。なお、この画像処理コマンドからなる画像処理コマンド列にはオペレータ操作入力による画像処理コマンド以外に自動的に設定される画像補正に関する画像処理コマンドも含まれている。この時点で、プレジャッジが終了した撮影コマの写真プリント工程がスタートする。
【００３１】
プレジャッジ作業は種々の形態で行われるが、ここでは典型的な例を図１０を用いながら簡単に説明する。
このモニタ画面では、６つの撮影コマに対するシミュレート画像７０が表示されており、夫々のシミュレート画像７０の上側の枠領域７１には対応撮影コマを特定するコマ番号を示す数字が表示され、下側の補正情報枠７２にはイエローに対応して「Ｙ」、マゼンタに対応して「Ｍ」、シアンに対応して「Ｃ」の文字、及び、濃度補正情報を示すよう「Ｄ」の文字が表示され、又、この下側のプリント枚数枠７３にはプリント枚数を示す数値が表示されている。このように複数のシミュレート画像７０が表示される場合これらのシミュレート画像７０のうちの１つの周囲を取り囲む選択枠７４に目につきやすい色相を与えることで、そのシミュレート画像が選択状態にあることを明示している。モニタ画面の下辺領域にはオーダ番号と画像メディアの種別を示す枠７５や表示中撮影コマのプレジャッジ終了と次のプレジャッジ対象の撮影コマの表示のためのボタン７６が配置されている。
【００３２】
このように、モニタ１７にシミュレート画像７０が表示された状態で、例えば、キーボード１８ａに設定された操作キーとしてのイエローキーを操作した場合には、選択状態のシミュレート画像７０に対応する補正情報枠７２の「Ｙ」の文字を強調する表示や、文字を反転させる表示や、ブリンクさせる表示を行うことでイエロー成分を補正対象に選択していることをオペレータに認識させ、この状態でプラスキーを押し操作した場合には、押し操作した回数だけイエローの成分を段階的に増大させる画像処理コマンドが画像処理コマンド列管理部４１ｃで生成されてシミュレート画像生成部４１ｂに与えられることでその画像処理が行われ、同様にマイナスキーを押し操作した場合には、押し操作した回数だけイエローの成分を段階的に減少させる処理が行われ、ニュートラルキーを押し操作した場合には補正前の状態に戻す処理が行われる。ぼかしやシャープネスなどのフィルタリング処理も設定されている操作キーを操作することで同様に行われる。
【００３３】
なお、トリミング処理の場合は、正確なトリミングを行うために、ここでは図示されていないが、モニタ画面に処理対象の１つのシミュレート画像７０が表示され、マウス１８ｂによってトリミングカーソルを操作することで撮影コマにおけるプリントすべき画像領域を設定する。このトリミングデータも、画像処理コマンドの１つとして画像処理コマンド列管理部４１ｃで管理格納される。
【００３４】
プレジャッジ工程と並行して行われる本スキャンによって、コマ画像単位の高解像度画像データが順次バッファメモリ４５に取り込まれ（＃１１０）、第１画像処理部５１によって必要なガンマ変換、画像回転、解像度変換などの前処理を施される（＃１１１）。バッファメモリ４５に一次格納された高解像度画像データに対応するコマ画像に対するプリント枚数や色補正などの属性データの入力が終了している場合、第２画像処理部５２は画像処理コマンド列管理部４１ｃから該当する画像処理コマンド（列）を受け取り（＃１１２）、この画像処理コマンドに基づいた画像処理を行い、処理済みの高解像度画像データをプリントデータ生成部４４に与える（＃１１３）。
【００３５】
プリントデータ生成部４４は、受け取った画像処理済みの高解像度画像データをプリントステーション１Ｂで使用される仕様のプリントデータに変換し、写真プリントを作成すべく、プリントステーション１Ｂの露光処理部１２に転送される（＃１１４）。
【００３６】
なお、上記の実施の形態では、プレスキャン時には副走査移動機構３０による第１方向相対移動、つまり往路移動によってフィルムＦに含まれているコマのコマ画像データを取得し、本スキャン時には副走査移動機構による第２相対移動、つまり復路移動によって写真フィルムに含まれているコマの画像データを取得していたが、本スキャン時にはフィルムを巻き戻し、再度第１方向相対移動、つまり往路移動によってコマ画像データを取得する構成を採用してもよい。
また、プリントステーション１Ｂとして印画紙Ｐを露光・現像して写真プリントを作製する銀塩プリンタを取りあげたが、インクジェットプリンタや熱転写プリンタ・昇華型プリンタを採用しても良い。
【図面の簡単な説明】
【図１】本発明による画像処理装置を備えた写真フィルム画像処理装置の外観図
【図２】図１による写真フィルム画像処理装置の模式図
【図３】フィルムスキャナのズームレンズユニットによる読取解像度調整を示す説明図
【図４】写真フィルム画像処理装置のコントローラに構築される主な機能を示す機能ブロック図
【図５】写真フィルム画像処理装置における処理手順を示すフローチャート
【図６】本スキャン時の処理手順を示すフローチャート
【図７】写真フィルム画像処理装置における画像データの流れを示す模式図
【図８】写真フィルム画像処理装置における処理時のタイプチャート
【図９】コマ画像に対する処理を説明する説明図
【図１０】プレジャッジ時のモニタ画面を示す図
【符号の説明】
１Ａ　操作ステーション
１Ｂ　プリントステーション
２　　フィルムスキャナ
４　　コントローラ
１８　　操作入力部
２２　　ズームレンズユニット
３０　　副走査移動機構
４０　　フィルムスキャナ制御部
４１　　プレジャッジ管理部
４１ａ　プレジャッジ画像処理部
４１ｂ　シュミレート画像生成部
４１ｃ　画像処理コマンド列管理部
４１　　操作入力処理部
４３　　ビデオ制御部
４４　　プリントデータ生成部
４５　　バッファメモリ
５０　　画像処理部
５１　　第１画像処理部
５２　　第２画像処理部
【図１】
2004015295.tif 000003
【図２】
2004015295.tif 000004
【図３】
2004015295.tif 000005
【図４】
2004015295.tif 000006
【図５】
2004015295.tif 000007
【図６】
2004015295.tif 000008
【図７】
2004015295.tif 000009
【図８】
2004015295.tif 000010
【図９】
2004015295.tif 000011
【図１０】
2004015295.tif 000012